(57)【要約】【課題】安全に電装基板のメンテナンスを行え、故障原因の特定もしやすく、狭い場所でのメンテナンス性も向上させ得る画像形成装置を提供する。【解決手段】高圧制御基板７及び高圧電源基板８を保持した高圧基板ブラケット６を画像形成装置本体背面に回動可能に支持する。高圧基板ブラケット６の上面に、電装ボックス５を構成する部材に引っ掛けて固定できる保持形状部９を設けて支持する。保持形状部９は高圧基板ブラケット６の両側面に設けてあり、高圧基板ブラケット６の保持形状部９側を支点として上方へ回動させ、電装ボックス５のフランジ形状部５ａに高圧基板ブラケット６の保持形状部９を差し込んで固定し、高圧基板ブラケット６を装置本体背面の投影面積の内側におさめる。このことで感電の危険を減らし、メンテナンス時の作業スペースを低減させる。故障原因の特定もしやすくできる。【選択図】図４
2014102350.tif 000002
【特許請求の範囲】
【請求項１】
少なくとも１つの電装基板を保持するとともに、画像形成装置本体の保持面に対して移動可能に取り付け得る電装基板保持手段と、
移動させた該電装基板保持手段を前記画像形成装置本体の保持面に支持する際に、保持した前記電装基板の実装面側を前記画像形成装置本体の内側に向けるとともに移動前に前記電装基板保持手段が覆っていた部位を空けた状態で支持する支持手段と、
を備えたことを特徴とする画像形成装置。
【請求項２】
請求項１に記載の画像形成装置において、前記電装基板保持手段が、前記画像形成装置本体の保持面に移動可能に固定した基板ブラケットであることを特徴とする画像形成装置。
【請求項３】
請求項１又は２に記載の画像形成装置において、前記支持手段が、前記電装基板保持手段を前記画像形成装置本体に対して移動させる前の位置でも移動させた後の位置でも固定かつ固定解除可能に支持する手段であることを特徴とする画像形成装置。
【請求項４】
請求項１乃至３のいずれかに記載の画像形成装置において、前記電装基板保持手段を前記画像形成装置本体に固定した際及び前記移動させて固定した際のいずれでも、前記電装基板保持手段を前記画像形成装置本体の保持面の投影面の内側におさめる構成としたことを特徴とする画像形成装置。
【請求項５】
請求項１乃至４のいずれかに記載の画像形成装置において、前記電装基板が高圧電源基板であることを特徴とする画像形成装置。
【請求項６】
請求項１乃至５のいずれかに記載の画像形成装置において、前記電装基板保持手段を移動させて固定した際に、前記電装基板保持手段の前記画像形成装置本体の保持面の側の面と前記画像形成装置本体の保持面との間に前記電装基板の動作を可能にするのに十分な沿面距離及び／又は空間距離を有する構成としたことを特徴とする画像形成装置。
【請求項７】
請求項１乃至６のいずれかに記載の画像形成装置において、前記電装基板保持手段の移動が前記画像形成装置本体の保持面の上下方向での回動であることを特徴とする画像形成装置。
【請求項８】
請求項１乃至７のいずれかに記載の画像形成装置において、移動前に前記画像形成装置本体の保持面の側に向く前記電装基板保持手段の面に、メンテナンスその他の作業、操作に関する手順を記載したことを特徴とする画像形成装置。
【請求項９】
請求項１乃至７のいずれかに記載の画像形成装置において、移動前に前記画像形成装置本体の保持面側に向く前記電装基板保持手段の面に、メンテナンスその他の作業、操作に関する手順を記載した手順書を配置したことを特徴とする画像形成装置。
【発明の詳細な説明】
【技術分野】
【０００１】
本発明は画像形成装置に関し、詳細にはそのメンテナンスや故障原因特定について考慮した画像形成装置に関する。
【背景技術】
【０００２】
画像形成装置のシャシーに一端を回動可能に取り付けたブラケットに、複数枚の電装基板を取り付け、これら電装基板の組立性やメンテナンス性を向上させる技術が知られている。
【０００３】
例えば特許文献１には、省スペース性及びメンテナンス性を向上させる目的で、２つの回路基板同士を、電気絶縁性を有する支持板の表裏面に、各基板の半田面がそれらの支持板を介して互いに向き合う状態で取り付けて配置し、また、支持板を、所定の支持フレームに対して回動可能に取り付けるようにした構成が開示されている。
【発明の概要】
【発明が解決しようとする課題】
【０００４】
しかしながら、従来の電装基板を回動させ、メンテナンス性を向上させる構成の画像形成装置では、電装基板を回動させた状態で画像形成等の動作させることができなかった。また動作させることはできても、電装基板の実装面側がむき出しとなっており、それに作業者等が接触して感電してしまうことがあり得るという問題があった。
【０００５】
本発明は、上述の問題点にかんがみ、電装基板のメンテナンスを行う際、接触による感電等の問題をなくして安全にメンテナンスを行え、故障原因の特定もしやすく、狭い場所でのメンテナンス性も向上させ得る画像形成装置を提供することを目的とする。
【課題を解決するための手段】
【０００６】
本発明の画像形成装置は、少なくとも１つの電装基板を保持するとともに、画像形成装置本体の保持面に対して移動可能に取り付け得る電装基板保持手段と、移動させた該電装基板保持手段を前記画像形成装置本体の保持面に支持する際に、保持した前記電装基板の実装面側を前記画像形成装置本体の内側に向けるとともに移動前に前記電装基板保持手段が覆っていた部位を空けた状態で支持する支持手段と、を備えたことを特徴とする。
【発明の効果】
【０００７】
本発明によれば、電装基板を回動させても安全に画像形成装置のメンテナンスを行え、故障原因の特定がしやすく、狭い場所でのメンテナンス性も向上させることができる。
【図面の簡単な説明】
【０００８】
【図１】本発明に係る画像形成装置の一実施形態の全体構成について説明するための背面側の斜視図（カバーを取り付けた状態）
【図２】本発明に係る画像形成装置の一実施形態の全体構成について説明するための背面側の斜視図（カバーを取り外した状態）
【図３】図２に示した高圧基板ブラケットを示す拡大斜視図
【図４】本発明に係る画像形成装置の一実施形態の全体構成について説明するための背面側の斜視図（高圧基板ブラケットを上げた状態）
【図５】高圧基板ブラケットを上げて保持した状態を示す拡大斜視図
【発明を実施するための形態】
【０００９】
本発明の実施の形態を図面を参照して以下に説明する。
本発明に係る画像形成装置の実施形態においては、例えばメンテナンスや故障原因特定の際、それらの作業には不要な電装基板に触れられないようにする。具体的には、メンテナンスや故障原因特定には不要な電装基板を、電装基板を保持する保持手段となる基板ブラケットで覆い、電装基板の実装面側を装置本体内側に向けた状態にできるようにする保持形状部を支持手段として用いて取り付ける。基板ブラケットは画像形成装置の装置本体背面の投影面積の内側におさめる。詳細には、基板ブラケットを、ハーネス類を外すことなく回動させて移動可能に構成し、基板ブラケットを、画像形成装置の装置本体の投影面積内で取り付け、固定する。
【００１０】
図１、図２は、本発明に係る画像形成装置の一実施形態の全体構成について説明するための背面側の斜視図である。図１は、画像形成装置の装置本体背面を覆うカバーを取り付けた状態を示す。図２は、カバーを取り外した状態を示す。
【００１１】
画像形成装置の装置本体背面は、メンテナンス性を向上させるため、分割された後上右カバー１、電装ボックスカバー２、後下カバー３を取り付けて覆ってある。各カバーは単独で取り外すことができる構造となっている。そして、図２からわかるように、後上右カバー１を取り外すことで冷却用ファンモータ４関連のメンテナンスができる。また、電装ボックスカバー２を外すことで電装ボックス５内に設置されている本体制御基板５ａ〜５ｃをメンテナンスできる。さらに、後下カバー３を外すことで高圧基板ブラケット６に取り付けられた高圧制御基板７、高圧電源基板８のメンテナンスができる。
【００１２】
通常、高圧電源基板８は画像形成装置の動作時に熱を発生させる。そのため、画像形成装置の装置本体内側に配置すると放熱効率が悪くなるので、装置本体の外側に配置する。したがって、高圧基板ブラケット６の内側には駆動ユニットや本体制御基板が配置されることが多い（図４を参照して後述する）。そのため、駆動ユニットや、高圧基板ブラケット６の内側にある本体制御基板をメンテナンスする際には、高圧基板ブラケット６を取り外さなければならない。ところが、高圧基板ブラケット６に取り付けられていた高圧制御基板７や高圧電源基板８を取り外してしまうと、画像形成装置の電源を入れることができなくなり、駆動ユニット等の動作時に発生する不具合等の発見が困難になる。また、画像形成装置への通電に必要なハーネスのみを接続した状態で前記基板類を取り外した場合は、不安定な状態で高圧基板ブラケット６を保持することとなり、通電時に作業者が不用意に高圧電源基板８に接触して感電する可能性があり危険である。
【００１３】
図３は、高圧基板ブラケット６について説明するための拡大斜視図である。
高圧基板ブラケット６は、詳細な図示は省略するが、装置本体の構成部材に図中上下方向で回動可能にあるいは装置本体の構成部材から取り外し可能に取り付けてある。また高圧基板ブラケット６の上面には、メンテナンス時に装置本体の構成部材（図示の例では電装ボックス５を構成する部材）に引っ掛けて固定できるようにするための保持形状部９が設けてある。保持形状部９は高圧基板ブラケット６の両側面側に寄せて設けてあり、これらの保持形状部９の傍らには、高圧制御基板７や高圧電源基板８に接続するためのハーネス１０ａを保持するハーネス保持部材１０が取り付けてある。ハーネス１０ａは、各基板上に設けたコネクタに接続してあるが詳細な図示は省略する。
【００１４】
図４、５は、高圧基板ブラケット６の移動について説明するための斜視図である。図４は高圧基板ブラケット６を上げ、移動前に高圧基板ブラケット６が覆っていた部位を空けた状態でメンテナンスを行えるようにした状態の斜視図、図５は高圧基板ブラケット６の保持状態を示すための拡大斜視図である。
【００１５】
詳細には、図４は、駆動ユニット１１、本体制御基板Ａ、本体制御基板Ｂのいずれか、あるいはすべてをメンテナンスするときの状態を示す。装置本体背面に取り付けてある既述のカバー類１〜３はすべて取り外す。また高圧基板ブラケット６を画像形成装置本体の保持面である装置本体の背面部に固定しているネジ等（不図示）を取り外す。そして高圧基板ブラケット６の保持形状部９側を支点として上方へ回動させ、電装ボックス５のフランジ形状部５ｄに高圧基板ブラケット６の保持形状部９を差し込んで固定させる。これにより、高圧制御基板７及び高圧電源基板８に接続されたコネクタを取り外すことなく一時的に装置本体から取り外す。これら高圧制御基板７、高圧電源基板８、コネクタ類は、回動させた高圧基板ブラケット６を装置本体背面の投影面積の内側におさめる。このように構成することでメンテナンス時の作業スペースを低減させることができる。
【００１６】
高圧制御基板７及び高圧電源基板８と電装ボックス５内の本体制御基板類とは十分な空間距離が保たれる構造とする。また、高圧基板ブラケット６を安定させるために、保持形状部９を図示の例の設置位置と対向する側（図４の状態では上側）に、または左右の側面側に追加して設けてもよい。なお、高圧基板ブラケット６を装置本体の構成部材から取り外して上下方向で回動させてから保持形状部９で固定するように構成してもよい。すなわち、高圧基板ブラケット６を移動させる前の位置でも移動させた後の位置でも固定かつ固定解除可能に支持可能とすることが好ましい。
【００１７】
高圧基板ブラケット６をこのような構成とすることで、駆動ユニット１１、本体制御基板Ａ、本体制御基板Ｂをメンテナンスする際に高圧基板ブラケット６が邪魔になりにくくなる。また、高圧基板ブラケット６を図示の例のように１８０度上方へ回動させて電装ボックス５に覆いかぶさるように固定でき、高圧制御基板７及び高圧電源基板８に接続されたコネクタを取り外さなくてよい。したがって、駆動ユニット１１の異音等の不具合を確認する際に、画像形成装置の電源を投入することができる。そのため、装置としての動作をさせながら不具合の確認ができ、メンテナンス時の作業効率が向上する。また、電源を入れても高圧電源基板８が高圧基板ブラケット６の裏面により覆われているので、作業者等が不用意に触れることがなくなり、感電等を防止でき、危険性を低下させ得る。同時に、電装ボックス５内の本体制御基板類にも接触できなくなるため、ショート等の装置破損も防止できる。
【００１８】
また、高圧基板ブラケット６の裏面には駆動ユニット１１や、本体制御基板ＡまたはＢに関するメンテナンス手順（作業、操作）が書かれた手順書１２を貼り付けておく。そうすれば、作業者はサービスマニュアル等を取り出すことなく作業できるようになり、作業効率を向上させ得る。
【００１９】
本発明は以上説明した実施形態に限定されるものではなく、多くの変形が本発明の技術的思想内で当分野において通常の知識を有する者により可能である。
【符号の説明】
【００２０】
１：後上右カバー
２：電装ボックスカバー
３：後下カバー
４：冷却用ファンモータ
５：電装ボックス
５ａ〜５ｃ：本体制御基板
５ｄ：フランジ形状部
６：高圧基板ブラケット
７：高圧制御基板
８：高圧電源基板
９：保持形状部
１０：ハーネス保持部材
１０ａ：ハーネス
１１：駆動ユニット
１２：手順書
【先行技術文献】
【特許文献】
【００２１】
【特許文献１】特開２００２−１８９３２０号公報
【図１】
2014102350.tif 000003
【図２】
2014102350.tif 000004
【図３】
2014102350.tif 000005
【図４】
2014102350.tif 000006
【図５】
2014102350.tif 000007